(57)【要約】【課題】外観を害することなく、しかも大きな改装を必要としない、木造家屋の枠構造を補強する補強金具を提供する。【解決手段】本発明は，木造家屋の柱材、梁材及び基部材で構成される枠構造の側面側に金属板で構成された補強金具を固定し、枠構造を強化して木造家屋の耐震性等の強度を高めるものである。本発明の補強金具は四辺形の枠構造の少なくとも２辺に相当する部分を一体的に固定し、枠構造の変形を阻止する機能を持つ。【選択図】図１
2011236660.tif 000002
【特許請求の範囲】
【請求項１】
間隔を隔てて立設された２本の柱材と、２本の前記柱材の上方に各端部が固定され水平方向に延びる梁材と、２本の前記柱材の下方に各端部が固定され水平方向に延びる基部材とから構成される木造家屋の枠構造を補強する補強金具であって、一方の前記柱材の一方の側面に沿い上下方向に延びる金属製の柱板と、
前記柱板の上端に一体的に設けられ前記梁材に固定される金属製の梁固定板と、前記柱板の下端に一体的に設けられ前記基部材に固定される金属製の基部固定板と、を有することを特徴とする補強金具。
【請求項２】
間隔を隔てて立設された２本の柱材と、２本の前記柱材の上方に各端部が固定され水平方向に延びる梁材と、２本の前記柱材の下方に各端部が固定され水平方向に延びる基部材とから構成される木造家屋の枠構造を補強する補強金具であって、２本の前記柱材を結ぶ方向に延びる金属性の梁板と、前記梁板の一端に一体的に設けられ一方の前記柱材に固定される金属製の第１の柱固定板と、前記梁板の他端に一体的に設けられ他方の前記柱材に固定される金属製の第２の柱固定板と、を有することを特徴とする補強金具。
【請求項３】
前記梁板は、２本の前記柱材が立設される間隔において、湾曲状に形成されている請求項２記載の補強金具。
【請求項４】
間隔を隔てて立設された２本の柱材と、２本の前記柱材の上方に各端部が固定され水平方向に延びる梁材と、２本の前記柱材の下方に各端部が固定され水平方向に延びる基部材とから構成される木造家屋の枠構造を補強する補強金具であって、一方の前記柱材の一方の側面に沿い上下方向に延びる金属性の柱板と、
前記柱板に一体的に設けられ一方の前記柱材に固定される金属製の柱固定板と、前記柱板の下端に一体的に設けられ前記基部材に固定される金属製の基部固定板と、を有することを特徴とする補強金具。
【請求項５】
間隔を隔てて立設された２本の柱材と、２本の前記柱材の上方に各端部が固定され水平方向に延びる梁材と、２本の前記柱材の下方に各端部が固定され水平方向に延びる基部材とから構成される木造家屋の枠構造を補強する補強金具であって、一方の前記柱材の一方の側面に沿い上下方向に延びる金属性の柱板と、
前記柱板の一端に一体的に設けられ前記柱材の一方の側面側で前記柱材を結ぶ方向に延びる金属性の梁板と、前記柱板に一体的に設けられ前記柱材に固定される金属製の柱固定板と、前記梁板に一体的に設けられ前記梁材に固定される金属製の梁固定板と、を有することを特徴とする補強金具。
【請求項６】
前記柱板及び前記梁板は、前記柱板及び前記梁板が一体となる両端部分は湾曲状である請求項５記載の補強金具。
【発明の詳細な説明】
【技術分野】
【０００１】
本発明は、木造家屋の枠構造を補強する補強金具に関する。
【背景技術】
【０００２】
地震大国である我が国は、地震による建物の倒壊等の被害を防止するために、建築基準法により建物の耐震基準を設定している。しかし、現在の耐震基準は、阪神淡路大震災を契機に大幅に改定されている。そのため、それ以前に建築された建物の多くは、現在の耐震基準を満たしていない。特に、古い木造家屋については、その老朽化に伴い耐震性が問題となっている。
【０００３】
一般に、我が国の木造家屋は、２本の柱材が間隔を隔てて立設されており、その２本の柱材の上方に、水平方向に延びる梁材の端部を固定し、さらにその２本の柱材の下方に、水平方向に延びる基部材の端部を固定することによって構成される、枠構造を有している。
【０００４】
そして、その固定方法は、突起状に加工した柄と呼ばれる端部の先端を、柄を受けるために柱材に設けられた柄穴と呼ばれる穴に差し込んだものである。そのため、地震が発生したときには、揺れによって、その枠構造は菱形に変形しやすい。地震の揺れが大きい場合には、その枠構造に大変形が生じ、そのまま木造家屋は倒壊するおそれがある。
【０００５】
そこで、木造家屋の倒壊を防止するために、筋交いによる耐力壁を設けて耐震補強を行っていた。しかし、我が国に古くから存在する木造家屋の多くには、和室が続き間として二つあるいは田の字形に４つ隣り合って形成されており、これら隣り合う和室の間には、左右に２本の柱、敷居及び鴨居によって大きな開口部となる枠構造が形成されている。このように隣り合う和室の間に形成された開口部となる枠構造には、筋交いによる耐力壁を設けることができない。
【０００６】
また、そのような開口部を有しない枠構造であっても、通常はその枠構造で囲まれる枠内に壁が嵌め込まれている。したがって、筋交いによる耐力壁を設けようとする場合、一旦壁を取り壊し、筋交いを設けた後に壁を元の状態に修復する必要があり、施工に過大な費用と日数が必要となっていた。
【０００７】
近年、木造家屋の枠構造を補強するために，例えば、特開２０１０−７４５４号、特開２００４−２８５８１７号などに開示されているように、家屋の外側の壁面に金属製の筋交い相当の補強金具を取り付ける方法や、家屋の内部に、柱と併設して補強用の柱材を設ける方法が提案されている。木造家屋の外側に巨大な金具を設ける工法は、外観を犠牲にしなければならない。また、第二の柱材を併設する工法は、補強効果が大きくない。
【先行技術文献】
【特許文献】
【０００８】
【特許文献１】特開２０１０−７４５４号公報
【特許文献２】特開２００４−２８５８１７号公報
【発明の概要】
【０００９】
本発明は、上記事情に鑑み、外観を害することなく、しかも大きな改装を必要としない、木造家屋の枠構造を補強する補強金具を提供することを目的とする。
【図面の簡単な説明】
【００１０】
【図１】実施例１に係る補強金具１の斜視図である。
【図２】補強金具１を展開した状態を表した展開図である。
【図３】補強金具１を木造家屋の枠構造に固定した状態を表した正面図である。
【図４】実施例２に係る補強金具２の斜視図である。
【図５】補強金具２を展開した状態を表した展開図である。
【図６】補強金具２を木造家屋の枠構造に固定した状態を表した正面図である。
【図７】実施例３に係る補強金具３の斜視図である。
【図８】補強金具３を展開した状態を表した展開図である。
【図９】補強金具３を木造家屋の枠構造に固定した状態を表した正面図である。
【図１０】実施例４に係る補強金具４の斜視図である。
【図１１】補強金具４を展開した状態を表した展開図である。
【図１２】補強金具４を木造家屋の枠構造に固定した状態を表した正面図の半面図である。
【図１３】実施例５に係る補強金具５の斜視図である。
【図１４】補強金具５を展開した状態を表した展開図である。
【図１５】補強金具５を木造家屋の枠構造に固定した状態を表した正面図である。
【図１６】実施例６に係る補強金具６の斜視図である。
【図１７】補強金具６を展開した状態を表した展開図である。
【図１８】補強金具６を木造家屋の枠構造に固定した状態を表した正面図の半面図である。
【図１９】実施例７に係る補強金具７の斜視図である。
【図２０】補強金具７を展開した状態を表した展開図である。
【図２１】補強金具７を木造家屋の枠構造に固定した状態を表した正面図の半面図である。
【図２２】実施例８に係る補強金具８の斜視図である。
【図２３】補強金具８を展開した状態を表した展開図である。
【図２４】補強金具８を木造家屋の枠構造に固定した状態を表した正面図の半面図である。
【図２５】実施例９に係る補強金具９の斜視図である。
【図２６】補強金具９を展開した状態を表した展開図である。
【図２７】補強金具９を木造家屋の枠構造に固定した状態を表した正面図の半面図である。
【図２８】実施例１０に係る補強金具１０の斜視図である。
【図２９】補強金具１０を展開した状態を表した展開図である。
【図３０】補強金具１０を木造家屋の枠構造に固定した状態を表した正面図の半面図である。
【発明を実施するための形態】
【００１１】
本発明は，木造家屋の柱材、梁材及び基部材で構成される枠構造の側面側に金属板で構成された補強金具を固定し、枠構造を強化して木造家屋の耐震性等の強度を高めるものである。ここで、枠構造とは、木造家屋の間隔を隔てて立設された２本の柱材と、２本の前記柱材の上方に各端部が固定され水平方向に延びる梁材と、２本の前記柱材の下方に各端部が固定され水平方向に延びる基部材とから構成される長方形あるいは正方形状の方形の空間を区画する木造家屋の構造をいう。なお、枠構造で区画される空間は、開口になっていても、壁が設けられていても、障子、襖、窓等が設けられていても良い。
【００１２】
本発明の補強金具は主として次のように分類できる。
【００１３】
一つは、枠構造を構成する一方の柱材の一方の側面に沿い上下方向に延びる金属製の柱板と、この柱板の上端に一体的に設けられ枠構造の梁材に固定される金属製の梁固定板と、前記柱板の下端に一体的に設けられ枠構造の基部材に固定される金属製の基部固定板と、を有することを特徴とする補強金具である。
【００１４】
他の一つは、枠構造を構成する２本の柱材を結ぶ水平方向に延びる金属性の梁板と、この梁板の一端に一体的に設けられ一方の柱材に固定される金属製の第１の柱固定板と、梁板の他端に一体的に設けられ他方の柱材に固定される金属製の第２の柱固定板と、を有することを特徴とする補強金具である。
【００１５】
さらに他の一つは、一方の柱材の一方の側面に沿い上下方向に延びる金属性の柱板と、この柱板に一体的に設けられ前記柱材に固定される金属製の柱固定板と、前記柱板の下端に一体的に設けられ枠構造の基部材に固定される金属製の基部固定板と、を有することを特徴とする補強金具である。
【００１６】
さらに他の一つは、一方の柱材の一方の側面に沿い上下方向に延びる金属性の柱板と、この柱板の一端に一体的に設けられこの柱材の一方の側面側で水平方向に延びる金属性の梁板と、この柱板に一体的に設けられ前記柱材に固定される金属製の柱固定板と、前記梁板に一体的に設けられ前記梁材に固定される金属製の梁固定板と、を有することを特徴とする補強金具である。
【００１７】
本発明の補強金具は四辺形の枠構造の少なくとも２辺に相当する部分を一体的に固定し、枠構造の変形を阻止する機能を持つ。この補強金具は、金属板製であるため、柱材、梁材に比較して薄く強度が高い。さらに補強金具は枠構造の側面に沿って配置されるため、枠構造で区画される空間に配置される壁、障子、襖等を除くことなく、補強金具を枠構造に固定できる。
【００１８】
ここで木造家屋の枠構造を構成する柱材とは、通常柱と称されているもので、上下方向に延びる垂直材であって、床、屋根などの上部荷重を基部材に伝える部材をいう。
【００１９】
梁材とは、水平方向に延びる水平材であって、それぞれの端部が２本の柱材の上方に固定される部材をいう。梁材は、例えば、梁、鴨居、付け鴨居などをいう。
【００２０】
基部材とは、水平方向に延びる水平材であって、それぞれの端部が２本の柱材の下方に固定される部材をいう。基部材は、例えば、土台、敷居、畳よせなどをいう。
【００２１】
柱材の一方の側面とは、２本の柱材が対向する柱材の対向面と交差する関係にある左右の面の一方の面をいう。
【００２２】
本発明の補強金具は，柱板又は梁板の少なくとも１つと、柱固定板、梁固定板及び基部固定板の２個の固定板を含む。すなわち、本発明の補強金具は、少なくとも柱板又は梁板が、２個の固定板の一端を繋ぐように一体的に設けられている。したがって、２個の固定板は、柱板又は梁板を介して一体となるのである。そのため、四辺形の枠構造の少なくとも２辺に相当する部分を、柱板又は梁板の少なくとも一つと２個の固定板が一体となった補強金具で固定することで、枠構造の２辺の構造的な一体性が高まり、枠構造の変形を阻止することができるのである。
【００２３】
ここで本発明の補強金具を構成する柱板は、例えば、所定の幅を有し、帯状に上下方向に延びる金属製の板状体をいう。梁板は、例えば、所定の幅を有し、帯状に水平方向に延びる金属製の板状体をいう。
【００２４】
柱固定板は、例えば、所定の幅を有し、帯状に延びる金属製の板状体であって、柱材に固定するものをいう。梁固定板は、例えば、所定の幅を有し、帯状に延びる金属製の板状体であって、梁材に固定するものをいう。基部固定板は、例えば、所定の幅を有し、帯状に延びる金属製の板状体であって、基部材に固定するものをいう。
【００２５】
金属は、例えば、普通鋼、ステンレス鋼、高張力鋼、アルミニウム、鉄などの木材よりはるかに強度の高い金属をいう。
【００２６】
一体的に設けられとは、例えば、金属製の柱板又は梁板に金属製の柱固定板、梁固定板又は基部固定板を溶接あるいはリベント、ボルトナット等で構造的、強度的に一体化されていることをいう。すなわち、地震の揺れによって、補強金具に歪みが生じたとしても、それぞれの金属製の板は一体となった状態を保つことのできる程度のものをいう。
【００２７】
固定する方法は、例えば、ネジ・ボルト等が挿通される孔を柱固定板、梁固定板及び基部固定板に穿設し、それぞれの固定板を、枠構造を構成する柱材、梁材及び基部材に配置してから、その孔にネジ・ボルト等を挿通し、ネジ・ボルトを締め付けることで、固定板を枠構造に一体的に固定する方法をいう。
【００２８】
また、本発明の態様として、前記柱板又は前記梁板は、湾曲状に形成することができる。これにより、地震により発生する引張や圧縮の力が分散されるため、より強固に木造家屋の枠構造の補強をすることができる。
【実施例１】
【００２９】
以下、本発明に係る補強金具の実施例を示し、本発明を具体的に説明する。実施例１に係る補強金具１の斜視図を図１に示す。そして、補強金具１を展開した状態を表した展開図を図２に、この補強金具１を木造家屋の枠構造に固定した状態を表した正面図を図３に示す。ここで、各図において共通する部材には、同一番号を付し、重複する説明は省略する。
【００３０】
図１に示すように、補強金具１は、全体として門型の形状であり、柱板１１、１２と、梁板１３と、柱固定板１４、１５と、梁固定板１６とから構成される。
【００３１】
そして、帯状に上下方向に延びる柱固定板１４、１５と、その間を帯状に水平方向に延びる梁固定板１６とによって門型の形状の外縁を構成し、帯状に上下方向に延びる柱板１１、１２と、その間を帯状に水平方向に延びる梁板１３とによって門型の形状の内縁を構成する。
【００３２】
図１に示すように、内縁に位置する梁板１３は、両端部分を一点破線Xで示す斜め４５度の角度に切立って形成し、同じく、内縁に位置する柱板１１、１２は、上端部分を一点破線Xで示す斜め４５度の角度に切立って形成し、それぞれの端部を溶接によって一体的とする。
【００３３】
さらに、その一体となった内側の部分が弓形に湾曲する形状となるように、梁板１３及び柱板１１、１２を形成する。
【００３４】
そして、外縁に位置し水平方向に延びる梁固定板１６は、対応する内縁に位置し水平方向に延びる梁板１３と平行線である一点破線Yにおいて溶接によって一体的となる。また、外縁に位置し上下方向に延びる柱固定板１４、１５は、対応する内縁に位置し上下方向に延びる柱板１１、１２の外側の側面において溶接によって一体的となる。したがって、外縁に位置する固定板は、内縁に位置する柱板及び梁板を介して一体となる。なお、柱固定板１４、15は、柱板11、12と直交する背面方向に延出するように一体的に設けられる。したがって、柱固定板１４、15と柱板11、12とは、断面視においてL字形状をなしている。
【００３５】
また、梁固定板１６には、鴨居１１３に固定するためのボルト用の挿通孔を両端部に複数穿設し、柱固定板１４、1５には、柱１１１、１１２に固定するためのボルト用の挿通孔を上下端部に複数穿設している。
【００３６】
そして、補強金具１を構成する板の材質には、いずれも板厚3mmの高張力鋼を用いている。梁固定板１６は、鴨居１１３の側面幅と略同一の４０ｍｍの幅を有し、鴨居１１３の水平方向の長さと略同一の３６００ｍｍの長さである。柱固定板１４、１５は、柱１１１、１１２の対向面幅と略同一の１００ｍｍの幅を有し、柱１１１、１１２の上下方向の長さと略同一の１７５０ｍｍの長さである。梁板１３及び柱板１１、１２は、略２００ｍｍの幅を有し、柱板１１、１２は柱固定板１４、１５の略半分の長さである。
【００３７】
なお、梁板１３、柱板１１、１２及び梁固定板１６は、それぞれ溶接によって一体のものとすると説明したが、図２に示すように、梁板１３、柱板１１、１２及び梁固定板１６を一つの門型状の平板としてプレス加工により設けてもよい。そして、そのプレス加工された門型状の平板の両端に、同じくプレス加工で設けた柱固定板１４、１５を背面方向に直交するように溶接することで、図１に示す補強金具１を形成してもよい。
【００３８】
以上のような構成を有する補強金具１を木造家屋の枠構造に固定する。
【００３９】
図３は、木造家屋の一部分を示しており、６畳の和室１２２、１２３が続き間として隣り合って形成され、和室１２２の奥には床の間が設けられている。これら隣り合う和室の間には、襖等を設けるために大きな開口部となる枠構造が形成されており、補強金具１をこの枠構造に固定する。なお、枠構造を明確にするために和室１２３の畳を一部省略してある。
【００４０】
そして、枠構造は、間隔を隔てて立設された２本の柱材である柱１１１、１１２と、２本の前記柱材の上方に各端部が固定され水平方向に延びる梁材である鴨居１１３と、２本の前記柱材の下方に各端部が固定され水平方向に延びる基部材である敷居１１４とから構成される。
【００４１】
そして、門型の形状を有する補強金具１を、この枠構造に嵌め込み、枠構造のうち３辺に相当する、柱１１１、１１２、鴨居１１３に一体的に固定し枠構造を補強する。
【００４２】
具体的には、梁固定板１６を、鴨居１１３の側面に当接させ、ボルト用の挿通孔にボルトを挿し込み、ボルトを締め付けることにより梁固定板１６を鴨居１１３に強固に固定させる。また、柱固定板１４、１５を、それぞれ柱１１１、１１２の対向面に当接させ、ボルト用の挿通孔にボルトを挿し込み、ボルトを締め付けることにより柱固定板１４、１５を柱１１１、１１２に強固に固定させる。
【００４３】
このとき、柱固定板１４、15と断面視においてL字形状をなす柱板11、12は、それぞれ、柱１１１、１１２の対向面の側面に沿う位置づけとなる。つまり、柱板11、12は、枠構造の内側に設けられる襖等よりも外側に位置することになるため、補強金具１を固定した後であっても、従来通り襖等を開け閉めして使用することが可能となる。
【実施例２】
【００４４】
実施例２に係る補強金具について説明する。実施例２に係る補強金具２の斜視図を図４に示す。そして、補強金具２を展開した状態を表した展開図を図５に、この補強金具２を木造家屋の枠構造に固定した状態を表した正面図を図６に示す。
【００４５】
ここで、各図において共通する部材には、同一番号を付し、上述した実施例と重複する説明は省略する。
【００４６】
図４に示すように、補強金具２は、全体としてアーチ型の形状であり、柱板２１、２２と、梁板２３と、柱固定板２４、２５と、梁固定板２６とから構成されている。
【００４７】
そして、帯状に上下方向に延びる柱固定板２４、２５と、その間を帯状に水平方向に延びる梁固定板２６とによってアーチ型の形状の外縁を構成し、帯状に上下方向に延びる柱板２１、２２と、その間を帯状に水平方向に延びる梁板２３とによってアーチ型の形状の内縁を構成する。
【００４８】
なお、上下方向に延びる柱板２１、２２と上下方向に延びる柱固定板２４、２５はその下端をそろえるように形成する。
【００４９】
柱板２１、２２と梁板２３が一体となる一点破線Xで示される部分においてアーチ型形状となるように湾曲形成する。
【００５０】
梁固定板２６には、鴨居１１３に固定するためのボルト用の挿通孔を水平方向に複数穿設し、柱固定板２４、２５には、柱１１１、１１２に固定するためのボルト用の挿通孔を上下方向に複数穿設している。
【００５１】
そして、補強金具２の上下方向の長さは、略９００ｍｍであり、その水平方向の長さは、鴨居１１３の水平方向の長さと略同一の３６００ｍｍである。梁固定板２６の水平方向の長さは、略２４００ｍｍである。柱固定板２４、２５の上下方向の長さは、略６００ｍｍである。
【００５２】
なお、実施例１で述べたのと同様に、図５に示すように、梁板２３、柱板２１、２２及び梁固定板２６を一つのアーチ型状の平板としてプレス加工により設けてもよい。そして、そのプレス加工されたアーチ型状の平板の両端に、同じくプレス加工で設けた柱固定板２４、２５を背面方向に直交するように溶接することで、図４に示す補強金具２を形成してもよい。
【００５３】
以上のような構成を有する補強金具２を、図６で示すように木造家屋の枠構造に固定する。
【００５４】
すなわち、アーチ型の形状を有する補強金具２を、この枠構造に嵌め込み、枠構造のうち３辺に相当する、柱１１１、１１２、鴨居１１３に一体的に固定し枠構造を補強する。
【実施例３】
【００５５】
実施例３に係る補強金具について説明する。実施例３に係る補強金具３の斜視図を図７に示す。そして、補強金具３を展開した状態を表した展開図を図８に、この補強金具３を木造家屋の枠構造に固定した状態を表した正面図を図９に示す。
【００５６】
ここで、各図において共通する部材には、同一番号を付し、上述した実施例と重複する説明は省略する。
【００５７】
図７に示すように、補強金具３は、補強金具２と同様に、全体としてアーチ型の形状であり、柱板３１、３２と、梁板３３と、柱固定板３４、３５と、梁固定板３６とから構成されている。
【００５８】
そして、下記するように、補強金具３は、柱１１１、１１２、梁１１５によって囲まれる木造家屋の枠構造の３辺を固定して補強するものであるため、補強金具２に比べて上下方向の長さが長い。
【００５９】
そして、補強金具３の上下方向の長さは、略１９００ｍｍである。梁固定板３６は、梁１１５の側面幅と略同一の２００ｍｍの幅を有している。柱固定板３４、３５の上下方向の長さは、略９００ｍｍである。
【００６０】
なお、実施例１で述べたのと同様に、図８に示すように、梁板３３、柱板３１、３２及び梁固定板３６を一つのアーチ型状の平板としてプレス加工により設けてもよい。そして、そのプレス加工されたアーチ型状の平板の両端に、同じくプレス加工で設けた柱固定板３４、３５を背面方向に直交するように溶接することで、図７に示す補強金具３を形成してもよい。
【００６１】
以上のような構成を有する補強金具３を、図９で示すように木造家屋の枠構造に固定する。
【００６２】
なお、ここでいう枠構造とは、間隔を隔てて立設された２本の柱材である柱１１１、１１２と、２本の前記柱材の上方に各端部が固定され水平方向に延びる梁材である梁１１５と、２本の前記柱材の下方に各端部が固定され水平方向に延びる基部材である敷居１１４とから構成される。
【００６３】
そして、アーチ型の形状を有する補強金具３を、そのように構成される枠構造に嵌め込み、枠構造のうち３辺に相当する、柱１１１、１１２、梁１１３に一体的に固定し枠構造を補強する。
【００６４】
具体的には、梁固定板３６を、梁１１５の側面に当接させ、ボルト用の挿通孔にボルトを挿し込み、ボルトを締め付けることにより梁固定板３６を梁１１５に強固に固定させる。また、柱固定板３４、３５を、それぞれ柱１１１、１１２の対向面に当接させ、ボルト用の挿通孔にボルトを挿し込み、ボルトを締め付けることにより柱固定板３４、３５を柱１１１、１１２に強固に固定させる。
【実施例４】
【００６５】
実施例４に係る補強金具について説明する。実施例４に係る補強金具４の斜視図を図１０に示す。そして、補強金具４を展開した状態を表した展開図を図１１に、この補強金具４を木造家屋の枠構造に固定した状態を表した正面図の半面図を図１２に示す。
【００６６】
ここで、各図において共通する部材には、同一番号を付し、上述した実施例と重複する説明は省略する。
【００６７】
図１０に示すように、補強金具４は、全体として弓型の形状であり、柱板４１と、梁板４３と、柱固定板４４と、梁固定板４６とから構成されている。
【００６８】
補強金具４は、補強金具２の正面視左半分のものと同一である。
【００６９】
したがって、補強金具４の上下方向の長さは、略９００ｍｍであり、その水平方向の長さは、略１８００ｍｍである。そして、梁固定板２６の水平方向の長さは、略１２００ｍｍであり、柱固定板２４、２５の上下方向の長さは、略６００ｍｍである。
【００７０】
また、図１１に示すように、プレス加工により設けた補強金具２を半分に切断して補強金具４を設けることができる。
【００７１】
以上のような構成を有する補強金具４を、図１２で示すように木造家屋の枠構造に固定する。
【００７２】
すなわち、弓型の形状を有する補強金具４を、この枠構造に嵌め込み、枠構造のうち２辺に相当する、柱１１１、鴨居１１３に一体的に固定し枠構造を補強する。
【実施例５】
【００７３】
実施例５に係る補強金具について説明する。実施例５に係る補強金具５の斜視図を図１３に示す。そして、補強金具５を展開した状態を表した展開図を図１４に、この補強金具５を木造家屋の枠構造に固定した状態を表した正面図を図１５に示す。
【００７４】
ここで、各図において共通する部材には、同一番号を付し、上述した実施例と重複する説明は省略する。
【００７５】
図１３に示すように、補強金具５は、全体として口の字型の形状であり、柱板５１、５２と、梁板５３と、柱固定板５４、５５と、梁固定板５６と、基部固定板５７から構成されている。
【００７６】
そして、帯状に上下方向に延びる柱固定板５４、５５と、その間を帯状に水平方向に延びる梁固定板５６と基部固定板５７とによって口の字型の形状の外縁を構成し、帯状に上下方向に延びる柱板５１、５２と、その間を帯状に水平方向に延びる梁板５３とによって口の字型の形状の内縁を構成する。
【００７７】
そして、内縁に位置し上下方向に延びる柱板５１、５２は、外縁に位置し水平方向に延びる基部固定板５７と平行線である一点破線Ｚにおいて溶接によって一体的となる。
【００７８】
また、基部固定板５７には、敷居１１４に固定するためのボルト用の挿通孔を両端部に複数穿設している。
【００７９】
そして、補強金具５を構成する板の材質には、いずれも板厚3mmの高張力鋼を用いている。梁固定板５６は、鴨居１１３の側面幅と略同一の４０ｍｍの幅を有し、鴨居１１３の水平方向の長さと略同一の３６００ｍｍの長さである。基部固定板５７は、敷居１１４の側面幅と略同一の３０ｍｍの幅を有し、敷居１１４の水平方向の長さと略同一の３６００ｍｍの長さである。柱固定板５４、５５は、柱１１１、１１２の対向面幅と略同一の１００ｍｍの幅を有し、柱１１１、１１２の上下方向の長さと略同一の１７５０ｍｍの長さである。梁板５３及び柱板５１、５２は、略２００ｍｍの幅を有している。
【００８０】
なお、実施例１で述べたのと同様に、図１４に示すように、梁板５３、柱板５１、５２、梁固定板５６及び基部固定板５７を一つの口の字型状の平板としてプレス加工により設けてもよい。そして、そのプレス加工された口の字型状の平板の両端に、同じくプレス加工で設けた柱固定板５４、５５を背面方向に直交するように溶接することで、図１３に示す補強金具５を形成してもよい。
【００８１】
以上のような構成を有する補強金具５を、図１５で示すように木造家屋の枠構造に固定する。
【００８２】
すなわち、口の字型の形状を有する補強金具５を、この枠構造に嵌め込み、枠構造のうち４辺に相当する、柱１１１、１１２、鴨居１１３、敷居１１４に一体的に固定し枠構造を補強する。
【００８３】
具体的には、梁固定板５６を、鴨居１１３の側面に当接させ、ボルト用の挿通孔にボルトを挿し込み、ボルトを締め付けることにより梁固定板５６を鴨居１１３に強固に固定させる。また、柱固定板５４、５５を、それぞれ柱１１１、１１２の対向面に当接させ、ボルト用の挿通孔にボルトを挿し込み、ボルトを締め付けることにより柱固定板１４、１５を柱１１１、１１２に強固に固定させる。さらに、基部固定板５７を、敷居１１４の側面に当接させ、ボルト用の挿通孔にボルトを挿し込み、ボルトを締め付けることにより基部固定板５７を敷居１１４に強固に固定させる。
【実施例６】
【００８４】
実施例６に係る補強金具について説明する。実施例６に係る補強金具６の斜視図を図１６に示す。そして、補強金具６を展開した状態を表した展開図を図１７に、この補強金具６を木造家屋の枠構造に固定した状態を表した正面図の半面図を図１８に示す。
【００８５】
ここで、各図において共通する部材には、同一番号を付し、上述した実施例と重複する説明は省略する。
【００８６】
図１６に示すように、補強金具６は、全体としてＬ字型の形状であり、柱板６１と、柱固定板６４と、基部固定板６７から構成されている。
【００８７】
そして、帯状に上下方向に延びる柱板６１は、帯状に水平方向に延びる基部固定板６７と平行線である一点破線Ｚにおいて溶接によって一体的となる。また、上下方向に延びる柱固定板６４は、上下方向に延びる柱板６１と外側の側面において溶接によって一体的となる。
【００８８】
なお、上下方向に延びる柱板６１と上下方向に延びる柱固定板６４はその上端をそろえるように形成する。
【００８９】
また、柱固定板６４には、柱１１１に固定するためのボルト用の挿通孔を上下方向に複数穿設し、基部固定板６７には、敷居１１４に固定するためのボルト用の挿通孔を水平方向に複数穿設している。
【００９０】
そして、補強金具６を構成する板の材質には、いずれも板厚3mmの高張力鋼を用いている。柱固定板６４は、柱１１１の対向面幅と略同一の１００ｍｍの幅を有し、上下方向の長さは略９００ｍｍの長さである。
基部固定板６７は、敷居１１４の側面幅と略同一の３０ｍｍの幅を有し、水平方向の長さは略１２００ｍｍの長さである。柱板６１は、略２００ｍｍの幅を有している。
【００９１】
なお、実施例１で述べたのと同様に、図１７に示すように、柱板６１、柱固定板６４及び基部固定板６７を一つのＬ字型状の平板としてプレス加工により設けてもよい。そして、柱固定板６４に相当する部分を背面方向に９０度折り曲げて図１６に示す補強金具６を形成してもよい。
【００９２】
以上のような構成を有する補強金具６を、図１８で示すように木造家屋の枠構造に固定する。
【００９３】
すなわち、Ｌ字型の形状を有する補強金具６を、この枠構造に嵌め込み、枠構造のうち２辺に相当する、柱１１１、敷居１１４に一体的に固定し枠構造を補強する。
【実施例７】
【００９４】
実施例７に係る補強金具について説明する。実施例７に係る補強金具７の斜視図を図１９に示す。そして、補強金具７を展開した状態を表した展開図を図２０に、この補強金具７を木造家屋の枠構造に固定した状態を表した正面図の半面図を図２１に示す。
【００９５】
ここで、各図において共通する部材には、同一番号を付し、上述した実施例と重複する説明は省略する。
【００９６】
補強金具７が、補強金具６と異なる点は、基部固定板７７の形状である。すなわち、帯状に水平方向に延びる基部固定板77の副部として、水平方向に対して直角方向に帯状に延びる延出部分を設け、その延出部分に複数のボルト挿通孔を穿設する。そして、その延出部分は、基部固定板77と同一の幅を有し、直角方向の長さは略６００ｍｍである。さらに、基部固定板77の副部として、基部固定板77と延出部分によって囲まれる範囲において長方形状の底面を設け、その底面に根太１１９の配設に従うように、複数のボルト挿通孔を穿設する。
【００９７】
なお、基部固定板77の副部は、図２０に示すように、長方形状の平板をプレス加工により設ける。そして、延出部分に相当する部分を９０度に折り曲げ、それを基部固定板７７に相当する部分に直交するように溶接することで、補強金具７を設けることができる。
【００９８】
そして、補強金具７を図２１で示すように木造家屋の枠構造に固定した場合、基部固定板77の副部である延出部分を畳よせ１１６の側面に当接させ、ボルト用の挿通孔にボルトを挿し込み、ボルトを締め付けることにより延出部分を畳よせ１１６に強固に固定させる。また、基部固定板77の副部である長方形状の底面を床板１１８の上面に当接させ、ボルト用の挿通孔にボルトを挿し込み、ボルトを締め付けることにより底面を根太１１９に強固に固定させる。
【実施例８】
【００９９】
実施例８に係る補強金具について説明する。実施例８に係る補強金具８の斜視図を図２２に示す。そして、補強金具８を展開した状態を表した展開図を図２３に、この補強金具８を木造家屋の枠構造に固定した状態を表した正面図の半面図を図２４に示す。
【０１００】
ここで、各図において共通する部材には、同一番号を付し、上述した実施例と重複する説明は省略する。
【０１０１】
図２２に示すように、補強金具８は、全体としてコの字型の形状をしており、柱板８１と、梁固定板８６と、基部固定板８７から構成されている。
【０１０２】
そして、帯状に上下方向に延びる柱板８１は、帯状に水平方向に延びる梁固定板８６と平行線である一点破線Ｙにおいて溶接によって一体的となり、帯状に水平方向に延びる基部固定板８７と平行線である一点破線Ｚにおいて溶接によって一体的となる。
【０１０３】
また、梁固定板８６には、梁１１５に固定するためのボルト用の挿通孔を水平方向に複数穿設し、基部固定板８７には、敷居１１４に固定するためのボルト用の挿通孔を水平方向に複数穿設している。
【０１０４】
そして、補強金具８を構成する板の材質には、いずれも板厚3mmの高張力鋼を用いている。梁固定板８６は、梁１１５の側面幅と略同一の２００ｍｍの幅を有し、水平方向の長さは略１２００ｍｍの長さである。柱板８１は、略２００ｍｍの幅を有し、上下方向の長さは略２６００ｍｍである。基部固定板８７は、敷居１１４の側面幅と略同一の３０ｍｍの幅を有し、水平方向の長さは略１２００ｍｍの長さである。
【０１０５】
なお、実施例１で述べたのと同様に、図２３に示すように、柱板８１、梁固定板８６及び基部固定板８７を一つのコの字型状の平板としてプレス加工により補強金具８を形成してもよい。
【０１０６】
以上のような構成を有する補強金具８を、図２４で示すように木造家屋の枠構造に固定する。
【０１０７】
なお、ここでいう枠構造とは、間隔を隔てて立設された２本の柱材である柱１１１、１１２と、２本の前記柱材の上方に各端部が固定され水平方向に延びる梁材である梁１１５と、２本の前記柱材の下方に各端部が固定され水平方向に延びる基部材である敷居１１４とから構成される。
【０１０８】
そして、コの字型の形状を有する補強金具８を、そのように構成される枠構造に嵌め込み、枠構造のうち２辺に相当する、梁１１３、敷居１１４に一体的に固定し枠構造を補強する。
【実施例９】
【０１０９】
実施例９に係る補強金具について説明する。実施例９に係る補強金具９の斜視図を図２５に示す。そして、補強金具９を展開した状態を表した展開図を図２６に、この補強金具９を木造家屋の枠構造に固定した状態を表した正面図の半面図を図２７に示す。
【０１１０】
ここで、各図において共通する部材には、同一番号を付し、上述した実施例と重複する説明は省略する。
【０１１１】
補強金具９が、補強金具８と異なる点は、補強金具９は、鴨居１１３、敷居１１４で構成される枠構造に固定されるものであるため、梁固定板９６は、鴨居１１３の側面幅と略同一の４０ｍｍの幅を有し、柱板９１の上下方向の長さは略１７５０ｍｍであることである。さらに、基部固定板９７の形状が異なる。すなわち、基部固定板９７の副部として、基部固定板９７に対し、長方形状の底面を設け、その底面に根太１１９の配設に従うように、複数のボルト挿通孔を穿設する。
【０１１２】
そして、基部固定板９７の副部は、図２６に示すように、長方形状の平板をプレス加工により設ける。その平板を基部固定板９７に相当する部分に直交するように溶接することで、補強金具９を設けることができる。
【０１１３】
以上のような構成を有する補強金具９を、図２７で示すように木造家屋の枠構造に固定する。
【０１１４】
すなわち、コの字型の形状を有する補強金具９を、この枠構造に嵌め込み、枠構造のうち２辺に相当する、鴨居１１３、敷居１１４に一体的に固定し枠構造を補強する。さらに、基部固定板９７の副部である長方形状の底面を床板１１８の上面に当接させ、ボルト用の挿通孔にボルトを挿し込み、ボルトを締め付けることにより底面を根太１１９に強固に固定させる。
【実施例１０】
【０１１５】
実施例１０に係る補強金具について説明する。実施例１０に係る補強金具１０の斜視図を図２８に示す。そして、補強金具１０を展開した状態を表した展開図を図２９に、この補強金具１０を木造家屋の枠構造に固定した状態を表した正面図の半面図を図３０に示す。
【０１１６】
ここで、各図において共通する部材には、同一番号を付し、上述した実施例と重複する説明は省略する。
【０１１７】
補強金具１０が補強金具８と異なる点は、梁固定板１０６と基部固定板１０７の形状である。もっとも、基部固定板１０７の形状については、実施例３の変形例１で述べたのと同様である。したがって、梁固定板１０６の形状について述べる。
【０１１８】
すなわち、帯状に水平方向に延びる梁固定板１０６の副部として、水平方向に対して直角方向に帯状に延びる延出部分を設け、その延出部分に複数のボルト挿通孔を穿設する。そして、その延出部分は、梁固定板１０６と同一の幅を有し、直角方向の長さは略６００ｍｍである。
【０１１９】
なお、基部固定板１０６の副部は、図２９に示すように、プレス加工により設けた延出部分に相当する部分を梁固定板１０６に相当する部分に直交するように溶接することで、補強金具１０を設けることができる。
【０１２０】
そして、補強金具１０を図３０で示すように木造家屋の枠構造に固定した場合、梁固定板１０６の副部である延出部分を付け鴨居１１７の側面に当接させ、ボルト用の挿通孔にボルトを挿し込み、ボルトを締め付けることにより延出部分を付け鴨居１１７に強固に固定させる。
【産業上の利用可能性】
【０１２１】
以上説明したように、本発明は、木造家屋の枠構造を補強する補強金具について有用である。
【符号の説明】
【０１２２】
１、２、３、４、５、６、７、８、９、１０：補強金具、１１、１２、２１、２２、３１、３２、４１、５１、５２、６１、７１、８１、９１、１０１：柱板、１３、２３、３３、４３、５３：梁板、１４、１５、２４、２５、３４、３５、４４、５４、５５、６４、７４：柱固定板、１６、２６、３６、４６、５６、８６、９６、１０６：梁固定板、５７、６７、７７、８７、９７、１０７：基部固定板、１１１、１１２：柱、１１３：鴨居、１１４：敷居、１１５：梁、１１６：畳よせ、１１７：付け鴨居、１１８：床板、１１９：根太、１２０：土台、１２１：基礎、１２２、１２３：和室
【図１】
2011236660.tif 000003
【図２】
2011236660.tif 000004
【図３】
2011236660.tif 000005
【図４】
2011236660.tif 000006
【図５】
2011236660.tif 000007
【図６】
2011236660.tif 000008
【図７】
2011236660.tif 000009
【図８】
2011236660.tif 000010
【図９】
2011236660.tif 000011
【図１０】
2011236660.tif 000012
【図１１】
2011236660.tif 000013
【図１２】
2011236660.tif 000014
【図１３】
2011236660.tif 000015
【図１４】
2011236660.tif 000016
【図１５】
2011236660.tif 000017
【図１６】
2011236660.tif 000018
【図１７】
2011236660.tif 000019
【図１８】
2011236660.tif 000020
【図１９】
2011236660.tif 000021
【図２０】
2011236660.tif 000022
【図２１】
2011236660.tif 000023
【図２２】
2011236660.tif 000024
【図２３】
2011236660.tif 000025
【図２４】
2011236660.tif 000026
【図２５】
2011236660.tif 000027
【図２６】
2011236660.tif 000028
【図２７】
2011236660.tif 000029
【図２８】
2011236660.tif 000030
【図２９】
2011236660.tif 000031
【図３０】
2011236660.tif 000032